(57)【特許請求の範囲】
【請求項１】
ＰＴＰシートと、前記ＰＴＰシートの外側を覆うカバー体とを備えた包装体であって、前記ＰＴＰシートは、一面側に開口を有し内部に収容物を収容する収容部を含む基材部と、前記収容部の開口を塞ぐように前記基材部の一面側に配置されたシート状の蓋材とを備え、前記カバー体は、前記ＰＴＰシートの前記基材部側を覆う第一シート体と前記蓋材側を覆う第二シート体とを含み、
前記第一シート体は、前記収容部の外面の少なくとも一部を覆う位置に配置され、且つ前記カバー体を前記第一シート体側に折り曲げた際に前記収容部を外側から押圧するように構成された押圧片を有する包装体。
【請求項２】
前記第一シート体は、前記収容部上を横切る仮想直線上に相当する位置に折り曲げを誘導する折曲誘導部を有する請求項１に記載の包装体。
【請求項３】
前記第一シート体は、前記押圧片の両端部から延びる引裂誘導切込み部を有する請求項１または２に記載の包装体。
【請求項４】
一面側に開口を有し内部に収容物を収容する収容部を含む基材部と、前記収容部の開口を塞ぐように前記基材部の一面側に配置されたシート状の蓋材とを備えたＰＴＰシートの外側を覆う包装体用カバー体であって、
前記ＰＴＰシートの前記基材部側を覆う第一シート体と前記蓋材側を覆う第二シート体とを含み、
前記第一シート体は、前記収容部の外面の少なくとも一部を覆う位置に配置され、且つ前記第一シート体及び前記第二シート体を前記第一シート体側に折り曲げた際に前記収容部を外側から押圧するように構成された押圧片を有する包装体用カバー体。
【請求項５】
前記第一シート体は、前記収容部上を横切る仮想直線上に相当する位置に折り曲げを誘導する折曲誘導部を有する請求項４に記載の包装体用カバー体。
【請求項６】
前記第一シート体は、前記押圧片の両端部から延びる引裂誘導切込み部を有する請求項４または５に記載の包装体用カバー体。
【発明の詳細な説明】
【技術分野】
【０００１】
本発明は、包装体、及び包装体用カバー体に関する。
【背景技術】
【０００２】
従来より、プレススルーパック（ＰＴＰ）シートとよばれる包装体が、医薬用錠剤等の薬品、サプリメント、食品等の包装体として使用されている。
該ＰＴＰシートは、収容物を収容可能な凹状の収容部を備えたシート状の基材部と、該基材部の一面側であって前記収容部が開口する面側に配され前記収容部の開口を塞ぐ蓋材とから構成され、前記収容部を外側から押して変形させることにより内部の収容物が蓋材を突き破って取り出されるように構成されている。
【０００３】
また、かかるＰＴＰシートを薬品や食品等用の包装体として使用する場合に、ＰＴＰシートの外面側にカバー体を配置して使用することがある。
例えば、特許文献１及び特許文献２には、ＰＴＰシートの両面を覆うシート状のカバー体が記載されている。かかるカバー体の表面には、例えば、収容物に関する使用上の注意等を表示することができる。また、カバー体を装着することで、サイズの小さいＰＴＰシートであっても、該ＰＴＰシートを紛失することや、ＰＴＰシートごと服用してしまう誤飲事故等を防止することができる。
【０００４】
特許文献１には、かかるカバー体を用いた包装体において収容物を取り出す場合に、ＰＴＰシートの収容部及び開口に相当する位置のカバー体を切り取り、ＰＴＰシートの収容部と、開口に相当する箇所の蓋材とを露出させて、前記収容部を外側から押すことにより収容物によって蓋材を突き破り、収容部を取り出すことが記載されている。
特許文献２には、カバー体の一部を切断し、カバー体の内部からＰＴＰシートを取り出して、ＰＴＰシートから収容物を取り出すことが記載されている。
【０００５】
しかし、従来の包装体では、収容物を取り出す際には収容部を指等で押して内部の収容物を押し出す必要があり、取出し作業が煩雑であるという問題がある。
【先行技術文献】
【特許文献】
【０００６】
【特許文献１】特開２００１−４６４６７号公報
【特許文献２】特許５１８６２４７号公報
【発明の概要】
【発明が解決しようとする課題】
【０００７】
本発明は、上記の問題点等に鑑み、ＰＴＰシートに収容された収容物を容易に取り出すことができる包装体及び包装体用カバー体を提供することを課題とする。
【課題を解決するための手段】
【０００８】
本発明に係る包装体は、
ＰＴＰシートと、前記ＰＴＰシートの外側を覆うカバー体とを備えた包装体であって、
前記ＰＴＰシートは、一面側に開口を有し内部に収容物を収容する収容部を含む基材部と、前記収容部の開口を塞ぐように前記基材部の一面側に配置されたシート状の蓋材とを備え、
前記カバー体は、前記ＰＴＰシートの前記基材部側を覆う第一シート体と前記蓋材側を覆う第二シート体とを含み、
前記第一シート体は、前記カバー体を前記第一シート体側に折り曲げた際に前記収容部を外側から押圧するように構成された押圧片を有する。
前記第一シート体は、前記収容部の外面の少なくとも一部を覆う位置に配置され、且つ前記第一シート体及び前記第二シート体を前記第一シート体側に折り曲げた際に前記収容部を外側から押圧するように構成されている。
【０００９】
本発明に係る包装体は、前述のように構成されていることにより、前記ＰＴＰシートから前記収容物を取り出す際に、前記カバー体が前記ＰＴＰシートに装着された状態で、前記カバー体を前記第一シート体側に折り曲げると、前記押圧片が前記収容部を外側から押圧する。該前記押圧片による押圧で前記収容部は内側に押されて内部の収容物を蓋材側に移動させ、該収容物が蓋材を突き破る。よって、指等でＰＴＰシートの収容部を押すことなく、収容物を容易に取り出すことができる。
【００１０】
前記第一シート体は、前記収容部上を横切る仮想直線上に相当する位置に折り曲げを誘導する折曲誘導部を有していてもよい。
【００１１】
前記第一シート体は、前記収容部上を横切る仮想直線上に相当する位置に折り曲げを誘導する折曲誘導部を有している場合には、前記仮想直線に沿ってカバー体を折り曲げやすい。従って、ＰＴＰシートから収容物をより容易に取り出すことができる。
【００１２】
前記第一シート体は、前記押圧片の両端部から延びる引裂誘導切込み部を有していてもよい。
【００１３】
前記第一シート体が、前記押圧片の両端部から延びる引裂誘導切込み部を有している場合には、前記押圧片を前記引裂誘導切込み部に沿って引き裂くことができ、前記押圧片の存在していた箇所に開口を形成することができる。
よって、収容物を容易に取り出した後に、使用済みのＰＴＰシートを開口を通して、前記カバー体から取り出し、前記ＰＴＰシートとカバー体とを別々に廃棄することが簡単にできる。
【００１４】
本発明に係る包装体用カバー体は、
一面側に開口を有し内部に収容物が収容される収容部を含む基材部と、前記収容部の開口を塞ぐように前記基材部の一面側に配置されたシート状の蓋材とを備えたＰＴＰシートの外側を覆う包装体用カバー体であって、
前記ＰＴＰシートの前記基材部側を覆う第一シート体と前記蓋材側を覆う第二シート体とを含み、
前記第一シート体は、前記第一シート体及び前記第二シート体を前記第一シート体側に折り曲げた際に前記収容部を外側から押圧するように構成された押圧片を有する。
前記第一シート体は、前記収容部の外面の少なくとも一部を覆う位置に配置され、且つ前記第一シート体及び前記第二シート体を前記第一シート体側に折り曲げた際に前記収容部を外側から押圧するように構成されている。
【発明の効果】
【００１５】
本発明によれば、ＰＴＰシートに収容された収容物を容易に取り出すことができる。
【図面の簡単な説明】
【００１６】
【図１】（ａ）本実施形態の包装体を収容部側から見た図、（ｂ）同蓋材側から見た図、（ｃ）Ｘ−Ｘ線断面図、（ｄ）Ｙ−Ｙ線断面図。
【図２】（ａ）ＰＴＰシートを収容部側から見た図、（ｂ）同蓋材側から見た図、（ｃ）Ｚ−Ｚ線断面図。
【図３】（ａ）カバー体又は包装体用カバー体を第一シート体側から見た図、（ｂ）同第二シート体側から見た図。
【図４】包装体から収容物を取り出す状態を示す概略斜視図。
【図５】変形例のカバー体又は包装体用カバー体を一面側から見た図。
【図６】変形例のカバー体又は包装体用カバー体を一面側から見た図。
【発明を実施するための形態】
【００１７】
以下、本発明に係る包装体及び包装体用のカバーの実施形態について、図面を参照しつつ詳しく説明する。
【００１８】
まず、本実施形態の包装体１０について図１乃至４を示して説明する。
本実施形態の包装体１０は、図１及び２に示すように、ＰＴＰシート１と、前記ＰＴＰシートの外側を覆うカバー体２とを備えた包装体１０である。
前記ＰＴＰシート１は、一面側に開口を有し内部に収容物Ｃが収容される収容部１ｂを含む基材部１ａと、前記収容部１ｂの開口を塞ぐように前記基材部１ａの一面側に配置されたシート状の蓋材１ｃとを備えている。
前記カバー体２は、前記ＰＴＰシート１の前記基材部側を覆う第一シート体２Ａと前記蓋材側を覆う第二シート体２Ｂとを含み、前記第一シート体２Ａは、前記カバー体を前記第一シート体側に折り曲げた際に前記収容部を外側から押圧するように構成された押圧片２１とを有する。
【００１９】
本実施形態のＰＴＰシート１は、前記収容部１ｂを外側から押して変形させることにより内部の収容物Ｃが蓋材１ｃを突き破って取り出されるように構成されているプレススルーパックシートとよばれる包装体の一種である。
具体的には、前記ＰＴＰシート１は、図２に示すように、上面視矩形状のシートからなる基材部１ａを備え、該基材部１ａは、前記シートの中央部に形成された窪み状の収容部１ｂと、該収容部１ｂの開口周縁から外向きに延設されたシート状のフランジ部１ｄとを備えている。
【００２０】
前記収容部１ｂの形状は、例えば、円形の開口を有する椀状等、収容部１ｂ内部に収容される収容物に応じて任意の形状であってもよい。
本実施形態のＰＴＰシート１の前記収容部１ｂは単数であってもよく、あるいは複数であってもよい。ＰＴＰシート１が複数の収容部１ｂを有する場合には、各収容部１ｂが、開口の周縁から延設されるフランジ部１ｄによって連結されている構成であってもよい。
【００２１】
収容部１ｂの内側空間には、薬、食品、化粧品等の収容物Ｃが収容されている。
収容部１ｂは、該収容物Ｃを前記開口から外側へ押し出し可能に構成されている。具体的には、収容部１ｂは指等によって変形可能な材質で形成されており、該収容部１ｂを外側から押すことで、収容部１ｂが変形して、内部の収容物Ｃが前記蓋材１ｃに押し付けられ、該収容物Ｃは蓋材１ｃを突き破って、収容部１ｂから取り出されるように構成されている。
【００２２】
前記基材部１ａは１つの部材から形成されていてもよく、あるいは、複数の部材から形成されていてもよい。
前記基材部１ａが１つの部材からなる場合には、例えば、１枚の原反シートを加工することで基材部１ａの前記収容部１ｂとフランジ部１ｄとが一体的に形成されていてもよい。
具体的には、収容部１ｂを形成するための収容部形成用凸状治具を用いて、前記原反シートの該当箇所を体面側から該治具で押圧し、押圧されて窪んだ部分が収容部１ｂとして形成され、押圧されていない平らな部分がフランジ部１ｄとして形成された基材部１ａであってもよい。
また、例えば、前記収容部は、凹状に形成された金型を用いて原反シートの該当箇所を真空引きすることにより形成されていてもよく、原反シートの該当箇所に向かって圧縮空気を吹き付けることにより形成されていてもよい。
前記基材部１ａが複数の部材から形成される場合には、収容部の形状に成形された部材と、フランジ部用のシート部材とを、収容部の開口に当たる位置で連結することで、基材部１ａが形成されていてもよい。
【００２３】
前記基材部１ａの材質としては特に限定されるものではないが、例えば、合成樹脂等が挙げられ、中でも、成形性、シール性等の観点から、ポリプロピレン、ポリエステル、ポリ塩化ビニル等の熱可塑性樹脂が好ましい。
前記基材部１ａの前記フランジ部１ｄの厚みは、特に限定されるものではないが、例えば、０．００５ｍｍ以上０．０３ｍｍ以上程度である。
かかる範囲の厚みであれば、適度な強度を付与しやすいため好ましい。
前記収容部１ｂの厚みは、特に限定されるものではないが、例えば、０．０５ｍｍ以上
１ｍｍ以上程度である。
かかる範囲の厚みであれば、適度な強度を保ちつつ変形容易に形成しやすいため好ましい。
【００２４】
本実施形態の蓋材１ｃは、基材部１ａと一致する大きさ及び形状のシート部材から形成されている。尚、蓋材１ｃは、前記開口を塞ぐことができる大きさ及び形状であれば、基材部１ａと一致する大きさ及び形状であることには限定されない。
【００２５】
前記蓋材１ｃは前記基材部１ａの一面側に、前記収容部１ｂの開口を塞ぐように配置されている。具体的には、蓋材１ｃの一面側と、前記基材部１ａのフランジ部１ｄの一面側とを接着剤、ヒートシール、接着テープ等の接着手段によって接着することで、該蓋材１ｃは前記基材部１ａの一面側に、前記収容部１ｂの開口を塞ぐように配置される。
【００２６】
前記蓋材１ｃの材質は、前記基材部１ａに接着可能な材質であれば特に限定されるものではないが、例えば、合成樹脂、紙、金属箔等のシート部材が挙げられる。あるいは、これらのシート部材の中の複数種類が積層されたラミネートシート部材であってもよい。
中でも、前記基材部１ａの前記フランジ部１ｄとヒートシール可能な材質であることが好ましく、例えば、基材部１ａと同じ材質の熱可塑性樹脂（ポリプロピレン、ポリエステル、ポリ塩化ビニル等）や、これらの熱可塑性樹脂とアルミ箔等の金属シートとが積層されたラミネートシート部材等が挙げられる。
前記蓋材１ｃが、熱可塑性樹脂からなる場合には、前記基材部１ａと蓋材１ｃとをヒートシールすることで接着してもよい。
本実施形態において前記蓋材１は、前記基材部１ａの外周縁と、蓋材１ｃの外周縁とが一致するように、基材部１ａと重ねて接着されることで、前記収容部１ｂの開口を塞ぎ、収容部１ｂの内側の空間を密閉する。
【００２７】
前記蓋材１は、前記収容物Ｃによって突き破ることが可能に構成されている。
かかる蓋材としては、例えば、前記収容物Ｃによって突き破ることが可能な程度の強度を有する材質のシート部材等を用いた蓋材や、開口に当たる位置にミシン目等が形成されることで強度を低下させた蓋材などが挙げられる。
【００２８】
本実施形態のカバー体２は、図１及び３に示すように、同じ大きさ及び同じ形状の二枚のシート体である第一シート体２Ａと第二シート体２Ｂとを有している。
図１（ｃ）、（ｄ）に示すように、該第一及び第二シート体２Ａ、２Ｂは積層され、該第一及び第二シート体２Ａ、２Ｂの間に前記ＰＴＰシート１を挟むようにして、カバー体２は前記ＰＴＰシート１の外側を覆うようにして装着される。
【００２９】
前記第一シート体２Ａの略中央部には、半月形状に開口する貫通孔２０が形成されており、前記収容部１ｂの一部が該貫通孔２０から露出するように、前記ＰＴＰシート１の前記基材部１ａ側に第一シート体２Ａが配置される。
【００３０】
具体的には、前記貫通孔２０は、収容部の開口周縁の一部と一致するような円弧状の周縁部と、該円弧状の周縁部に対向する位置において貫通孔２０の中央部に向かって突出するように形成された押圧片２１の端縁部とで構成される開口周縁部を有している。
【００３１】
前記押圧片２１は、第一シート体２Ａに円弧状の切込みが設けられることで形成されている。具体的には、前記貫通孔２０の円弧状の周縁部の両側から連続する円弧状の切込みが形成されることで、円弧状の端縁部を有する押圧片２１が形成される。
尚、押圧片の端縁部の形状は円弧状であることに限定されるものではなく、直線状の切込みによって直線状の端縁部を有する押圧片であってもよい。
【００３２】
前記貫通孔２０及び押圧片２１は、包装体１０を第一シート体２Ａ側から見た場合に、前記収容部１ｂが、面積にして１／５〜４／５程度露出するように構成されている。
【００３３】
前記第一シート体２Ａは、前記収容部上を横切る仮想直線Ｌ上に相当する位置に折り曲げを誘導する折曲誘導部Ｓを有していてもよい。
本実施形態の第一シート体２Ａにおいて、前記折曲誘導部Ｓは、前記収容部１ｂの略中央を横切る仮想直線Ｌ上の位置に形成された、複数の短い略長方形状の貫通孔（本実施形態では４つの貫通孔）から構成されている。
前記貫通孔２０と前記折曲誘導部Ｓとは連通されてなる。すなわち、図３（ａ）に示すように前記複数の折曲誘導部Ｓのうち貫通孔２０側に形成された前記折曲誘導部Ｓ１と、前記貫通孔２０とを連通する貫通部Ｐが形成されている。
【００３４】
前記折曲誘導部Ｓは、前記仮想直線Ｌに相当する位置のある点において第一シート体２Ａを厚み方向に貫通された、あるいは、厚みを薄くされた箇所であって、第一シート体２Ａが折り曲げられやすい箇所である。
かかる折曲誘導部としては、例えば、線状に切り込みが形成されることで構成されていてもよく、短い線状の貫通部が複数個、前記仮想直線上に配置されていることで構成されていてもよく、あるいは、前記仮想直線上において、第一シート体２Ａの厚みを薄くするいわゆるハーフカットが線状、又は点状に形成されることで構成されていてもよい。
【００３５】
前記第一シート体２Ａは、前記折曲誘導部Ｓを境界とする２枚の折り曲げ片２Ａ１、２Ａ２を備えており、前記押圧片２１は一方の折り曲げ片２Ａ１側と連結され、該押圧片２１の端縁部は、前記貫通孔２０において、一方の折り曲げ片２Ａ１から他方の折り曲げ片２Ａ２側に向かって突出するように構成されている。
また、前記押圧片２１の先端部が前記仮想直線Ｌを超えるように、前記押圧片２１は他方の折り曲げ片２Ａ２側に向かって突出するように構成されている。
【００３６】
前記第一シート体２Ａは、前記押圧片２１の両端部から延びる引裂誘導切込み部Ｔを有する。具体的には、前記貫通孔２０と連通する前記折曲誘導部Ｓ１の周縁部であって且つ前記押圧片２１の両端部である位置から延びる直線上において、前記第一シート体２Ａを厚み方向に貫通するミシン目が形成されることで前記引裂誘導切込み部Ｔは構成されている。
前記引裂誘導切込み部Ｔとしては、例えば、前記第一シート体２Ａの厚みを薄くするいわゆるハーフカットなどから構成されていてもよい。
【００３７】
前記引裂誘導切込み部Ｔの長さは、例えば、前記貫通孔２０の開口周縁部からＰＴＰシート１の周縁部に相当する位置より外側に長さに形成する。すなわち、前記押圧片２１を引裂誘導切込み部Ｔに沿って引き裂いた場合に、ＰＴＰシート１が露出して取り出し可能な程度の長さに前記引裂誘導切込み部Ｔは形成される。
【００３８】
前記第二シート体２Ｂは、ＰＴＰシート１の前記蓋材側を覆っており、該第二シート体２Ｂの略中央部には円形の取出孔２ａが形成されている。該取出孔２ｂと前記収容部１ｂの開口とが対応するように、前記ＰＴＰシート１の前記蓋材１ｃ側に第ニシート体２Ｂが配置される。すなわち、第二シート体２Ｂは、蓋材１ｃを突き破った収容物Ｃが前記取出孔２ｂから取り出されるように構成されている。
【００３９】
第一シート体２Ａ及び第二シート体２Ｂの大きさや形状は、特に限定されるものではないが、例えば、装着されるＰＴＰシート１よりも大きく形成されることが好ましい。
すなわち、カバー体２をＰＴＰシート１に装着した場合に、ＰＴＰシート１の基材部１ａの外周縁が、カバー体２の第一及び第二シート体２Ａ、２Ｂの外周縁の内側に位置するような大きさであることが好ましい。
カバー体２をＰＴＰシート１よりも大きくすることにより、ＰＴＰシートが比較的小さいものであっても収容物の取り出しが容易に行なえる。また、比較的小さいＰＴＰシートの紛失を抑制できる。さらには、収容物が内服薬である場合にはＰＴＰシート１ごと飲み込む等の事故を防止できる。
【００４０】
前記カバー体２の第一シート体２Ａ及び第二シート体２Ｂの材質は、カバー体として、ＰＴＰシート１に外側に装着した場合に、形状を保持できる程度強度を有するものであれば、特に限定されるものではないが、例えば、合成樹脂シート、紙シート、金属箔シート、及びこれらが積層されたラミネートシート等が挙げられる。
中でも、紙シートが強度の観点から好ましい。
【００４１】
また、本実施形態の包装体１０において、前記押圧片２１は、第一シート体２Ａに切込みが設けられることで、第一シート体２Ａを構成するシートと同じ材質から形成されている。この場合、前記第一シート体２Ａの材質としては、前記押圧片２１が、カバー体を前記第一シート体側に折り曲げた際に、収容部を外側から押圧できる程度の強度を有するような材質から構成される。
【００４２】
また、第一シート体２Ａ及び第二シート体２Ｂの厚みは、カバー体２をＰＴＰシート１に装着した状態で、前記折曲誘導部Ｓに沿って第一シート体２Ａ側に折り曲げ可能な程度の厚みであれば、特に限定されるものではない。また、第一シート体２Ａ及び第二シート体２Ｂの厚みは同じであっても良く、違っていても良い。
例えば、第一シート体２Ａ及び第二シート体２Ｂの合計の厚みは、材質が紙シートである場合には、０．４ｍｍ〜１．６ｍｍ、好ましくは０．６ｍｍ〜０．８ｍｍ程度の厚みあること等が挙げられる。
【００４３】
本実施形態のカバー体２の第一シート体２Ａ及び第二シート体２Ｂの外面には、印刷等によって、各種情報が表示される表示部(図示せず)が形成されていてもよい。
かかる表示部に表示される情報は、特に限定されるものではないが、例えば、収容物Ｃについての注意書きや、包装体の開封方法、宣伝広告等が挙げられる。
具体的には、収容物Ｃが内服薬等の場合には、服用の時期や、服用方法、服作用等の注意書き等を記載することなどが挙げられる。
【００４４】
次に、本実施形態の包装体１０から収容物Ｃを取り出す場合について説明する。
まず、包装体１０を、第二シート体２Ｂ、すなわち、ＰＴＰシート１の蓋材１ｃ側が下を向くように持つ。そして、図４に示すように、前記折曲誘導部Ｓ沿いにカバー体２を上方、すなわち、第一シート体２Ａ側に二つ折りする。
この時、折り曲げ位置には折曲誘導部Ｓが形成されているため、第一カバー体２Ａを容易に折り曲げることができる。
【００４５】
前記第一シート体２Ａを前記折曲誘導部Ｓ沿いに折り曲げると、折り曲げ片２Ａ１、２Ａ２が、図４の矢印が示すように、折り曲げ線を支軸として互いに近づくように回動される。このとき、一方の折り曲げ片２Ａ１とともに前記押圧辺２１も動くが、前述のとおり前記押圧片２１は、適度な強度を有しているため、該押圧片２１の先端部でＰＴＰシート１の収容部１ｂを外側から内側に向かって押圧する。押圧片２１によって押圧された前記収容部１ｂは変形し内部の収容物Ｃが蓋材１ｃに押し付けられ、蓋材１ｃを突き破って取り出される。
【００４６】
このとき、本実施形態のカバー体２は、前記押圧片２１の先端部が前記仮想直線Ｌを超えるように、前記押圧片２１は他方の折り曲げ片２Ａ２側に向かって突出するように構成されているため、確実に収容部１ｂを押圧することができる。
【００４７】
以上のように、本実施形態の包装体１０は、カバー体２を折り曲げるだけで、指等でＰＴＰシートの収容部１ｂを押さなくても容易に収容物Ｃを取り出すことができる。
特に、高齢者や病人などのように指に力が入りにくい使用者が使用するのに適した包装体である。
【００４８】
さらに、収容物Ｃを取り出した後、包装体１０を廃棄する際に、ＰＴＰシート１とカバー体２とを分別して廃棄する場合には、前記押圧片２１を前記引裂誘導切込み部Ｔに沿って引き裂くことで、第一シート体２ＡからＰＴＰシート１を取り出せる程度の開口を容易に形成することができる。よって、ＰＴＰシート１を該開口から取り出して、カバー体２と分離して廃棄することが容易にできる。
【００４９】
尚、ＰＴＰシート１及びカバー体２は予めカバー体がＰＴＰシートに装着された包装体１０として製造されてもよく、あるいは、前述のようなＰＴＰシートと、該ＰＴＰシートに使用可能な包装体用カバー体とが別々に製造されて、使用時に包装体用カバー体をＰＴＰシートに装着するように構成されていてもよい。
【００５０】
本実施形態の包装体用のカバー体としては、前述のような本実施形態のカバー体２と同様に構成されたものが挙げられる。
すなわち、一面側に開口を有し内部に収容物を収容する収容部を含む基材部と、前記収容部の開口を塞ぐように前記基材部の一面側に配置されたシート状の蓋材とを備えたＰＴＰシートの外側を覆う包装体用カバー体であって、前記第一シート体は、前記第一シート体及び前記第二シート体を前記第一シート体側に折り曲げた際に前記収容部を外側から押圧するように構成された押圧片を有する包装体用カバー体である。
【００５１】
本実施形態の包装体用カバー体は、例えば、使用時に目的とするＰＴＰシートに装着するように構成されているため、ＰＴＰシートと包装体用カバー体とを別々に保管することができ、コンパクトに保管することができる。
【００５２】
本実施形態のカバー体及び包装体用カバー体において、前記押圧片は、第一シート体とは別の部材から構成されていてもよい。
すなわち、第一シート体の貫通孔の周縁部に別の部材の押圧片を取り付けることで、押圧片を構成してもよい。
【００５３】
本実施形態のカバー体及び包装体用カバー体において、第一シート体は貫通孔２０を有していなくてもよい。
この場合には、押圧片は、第一シート体に形成された線状の切込みによって構成されていてもよい。
【００５４】
本実施形態のカバー体及び包装体用カバー体において、第一シート体は前記折曲誘導部を有していなくてもよい。
この場合には、前記押圧片によって収容部を押圧できるような位置をカバー体の折り曲げ位置としてもよい。
【００５５】
本実施形態のカバー体及び包装体用カバー体において、第一シート体は引裂誘導切込み部を有していなくてよい。
この場合には、使用済みのＰＴＰシートをカバー体から取り出すのに、貫通孔からＰＴＰシートを取り出してもよく、あるいは、第一シート体をハサミ等を用いて切断してＰＴＰシートをカバー体から取り出してもよい。
【００５６】
本実施形態のカバー体及び包装体用カバー体としては、例えば、第一シート体と第二シート体とが、別々のシート体として製造され、ＰＴＰシートに装着する際に、第一シート体と第二シート体とが接着されるものであってもよい。
或いは、図５に示すように、第一シート体２Ａと第二シート体２Ｂとが一辺において連結された一枚のシート状に形成されるカバー体２であってもよい。この場合には、前記一辺で二つ折りしながら、ＰＴＰシートにカバー体２を装着することができる。
或いは、図６に示すように、第一シート体の両側方に、該第一シート体の両辺において、第二シート体を分割した分割シート体が連結された一枚のシート状として形成されていてもよい。この場合には、前記両辺から各分割シート体が該第一シート体の一面側に向かって折り曲げられることで、カバー体及び包装体用カバー体として構成される。
【００５７】
本実施形態の前記ＰＴＰシートの収容部は、基材部の中央部に一箇所形成されていたが、収容部の個数は複数であってもよい。
この場合、カバー体の取出孔及び貫通孔は、複数の収容部に対応するように複数形成されていることが好ましい。
【００５８】
本実施形態の前記カバー体及び包装体用カバーの第二シート体２Ｂは、前記収容部１ｂの開口に対応する位置に開口する取出孔２ｂを有しているが、かかる取出孔２ｂを有していることに限定されるものではない。
例えば、第二シート体２Ｂの前記収容部１ｂの開口に対応する位置に、切り取り用のミシン目等を形成しておき、収容物Ｃを取り出す際に、これらのミシン目から第一シート体の一部を切り取ることで開口を露出させてもよい。あるいは、第一シート体の前記収容部１ｂの開口に対応する位置をハサミや手で切り取ることで同様に開口を露出させてもよい。
【００５９】
尚、本実施形態にかかる包装体及び包装体用カバー体は以上のとおりであるが、今回開示された実施の形態はすべての点で例示であって制限的なものではないと考えられるべきである。本発明の範囲は前記説明ではなくて特許請求の範囲によって示され、特許請求の範囲と均等の意味および範囲内でのすべての変更が含まれることが意図される。
【符号の説明】
【００６０】
１：ＰＴＰシート、１ａ：基材部、１ｂ：収容部、１ｃ：蓋材、
２：カバー体（包装体用カバー体）、２Ａ：第一シート体、２Ｂ：第二シート体、２１：押圧片、
１０：包装体、Ｓ：折曲誘導部、Ｃ：収容物
【要約】
【課題】  ＰＴＰシートに収容された収容物の取り出しが容易にできる包装体及び包装体用カバー体を提供することを課題とする。
【解決手段】  ＰＴＰシートと、前記ＰＴＰシートの外側を覆うカバー体とを備えた包装体であって、前記ＰＴＰシートは、一面側に開口を有し内部に収容物が収容される収容部を含む基材部と、前記収容部の開口を塞ぐように前記基材部の一面側に配置されたシート状の蓋材とを備え、前記カバー体は、前記ＰＴＰシートの前記基材部側を覆う第一シート体と前記蓋材側を覆う第二シート体とを含み、前記第一シート体は、前記カバー体を前記第一シート体側に折り曲げた際に前記収容部を外側から押圧するように構成された押圧片を有する包装体等を提供する。
【選択図】  図１【図１】
0005584332.tif 000002
【図２】
0005584332.tif 000003
【図３】
0005584332.tif 000004
【図４】
0005584332.tif 000005
【図５】
0005584332.tif 000006
【図６】
0005584332.tif 000007